(57)【要約】【課題】本発明は、操作が簡単なアプリケーションアイコン管理システム及び該システムを応用する電子装置を提供することを目的とする。【解決手段】本発明のアプリケーションアイコン管理システムは、複数のアプリケーションが設置されている電子装置内で実行され、電子装置を第一表示区域及び第二表示区域に分割し、第一表示区域は、電子装置の各種類のアプリケーションアイコンを表示し、第二表示区域は、第一表示区域中のアプリケーションアイコンを制御する複数のボタンを表示するインタフェース管理モジュールと、第二表示区域中で選択されたボタン及び第一表示区域中で選択されたアプリケーションアイコンを確定し、且つ選択されたボタンに対応する機能によって、選択されたアプリケーションアイコンを管理する制御モジュールと、を備える。【選択図】図２
2014235754.tif 000002
【特許請求の範囲】
【請求項１】
複数のアプリケーションが設置されている電子装置内で実行されるアプリケーションアイコン管理システムにおいて、
前記電子装置を第一表示区域及び第二表示区域に分割し、前記第一表示区域は、前記電子装置の各種類のアプリケーションアイコンを表示し、前記第二表示区域は、前記第一表示区域中のアプリケーションアイコンを制御する複数のボタンを表示するインタフェース管理モジュールと、
前記第二表示区域中で選択されたボタン及び前記第一表示区域中で選択されたアプリケーションアイコンを確定し、且つ選択されたボタンに対応する機能によって、選択されたアプリケーションアイコンを管理する制御モジュールと、を備えることを特徴とするアプリケーションアイコン管理システム。
【請求項２】
前記インタフェース管理モジュールは、選択されたボタンに対応する機能によって、前記第一表示区域中の各種類のアプリケーションアイコンの表示モードを、第一表示モードから第二表示モードに切り替え、且つ前記第二表示区域中のボタンを変更することを特徴とする請求項１に記載のアプリケーションアイコン管理システム。
【請求項３】
前記第一表示モードは、各種類のアプリケーションアイコンを階層形式によって配列し、各層は、予備設定された数量のアプリケーションアイコンを表示し、最外層のアプリケーションアイコンは不透明であり、他の層のアプリケーションアイコンは透明であり、
前記第二表示モードは、各種類のアプリケーションアイコンを同じ層に分配させることを特徴とする請求項２に記載のアプリケーションアイコン管理システム。
【請求項４】
前記第二表示区域中で選択されたボタンに対応する機能がグループアイコンを増加する増加機能である場合、前記インタフェース管理モジュールは、前記第一表示区域中の各種類のアプリケーションアイコンの表示モードを、前記第一表示モードから前記第二表示モードに切り替え、且つ前記第二表示区域中のボタンを変更し、
アプリケーションアイコンの表示モードが第二表示モードである場合、前記制御モジュールは、選択されたアプリケーションアイコンを確定し、且つ選択されたアプリケーションアイコンを備えるグループアイコンを申請し、
前記制御モジュールがグループアイコンを申請した後、前記インタフェース管理モジュールは、アプリケーションアイコンの表示モードを、前記第一表示モードに切り替え、且つ前記グループアイコンが、前記第一表示区域に表示されることを特徴とする請求項２または３に記載のアプリケーションアイコン管理システム。
【請求項５】
前記第一表示区域は、どのアプリケーションとも接続されない空白アイコンを備え、前記空白アイコンが選択された場合、前記インタフェース管理モジュールは、前記第一区域中のアプリケーションアイコンの表示モードを、前記第一表示モードから前記第二表示モードに切り替え、且つ前記第二表示区域中のボタンを変更し、
前記アプリケーションアイコンの表示モードが第二表示モードである場合、前記制御モジュールは、前記第一表示区域中で選択されたアプリケーションアイコンの数量によって、前記空白アイコンを、前記選択された１つのアプリケーションアイコン或いは複数のアプリケーションアイコンを備えるグループアイコンに変更させることを特徴とする請求項２または３に記載のアプリケーションアイコン管理システム。
【請求項６】
前記第二表示区域中で選択されたボタンに対応する機能がアイコンを削除する削除機能である場合、前記制御モジュールは、前記第一表示区域中で選択されたアプリケーションアイコンを削除し、且つ削除されたアプリケーションアイコンの位置には、どのアプリケーションとも接続されない空白アイコンが形成されることを特徴とする請求項１から３のいずれか一項に記載のアプリケーションアイコン管理システム。
【請求項７】
前記第二表示区域中で選択されたボタンに対応する機能がアイコンを移動する移動機能である場合、前記第二表示区域中で選択されたアプリケーションアイコンを移動することを特徴とする請求項１から３のいずれか一項に記載のアプリケーションアイコン管理システム。
【請求項８】
複数のアプリケーションが設置されている電子装置において、
プロセッサを備え、前記プロセッサは、
前記電子装置を第一表示区域及び第二表示区域に分割し、前記第一表示区域は、前記電子装置の各種類のアプリケーションアイコンを表示し、前記第二表示区域は、前記第一表示区域中のアプリケーションアイコンを制御する複数のボタンを表示するインタフェース管理モジュールと、
前記第二表示区域中で選択されたボタン及び前記第一表示区域中で選択されたアプリケーションアイコンを確定し、且つ選択されたボタンに対応する機能によって、選択されたアプリケーションアイコンを管理する制御モジュールと、
を備えることを特徴とする電子装置。
【発明の詳細な説明】
【技術分野】
【０００１】
本発明は、電子装置に関し、特にアプリケーションアイコン管理システム及び該システムを応用する電子装置に関するものである。
【背景技術】
【０００２】
スマートテレビは、開放式のプラットフォームを備え、且つ操作システムが搭載されており、ユーザは、テレビを見ると同時に、各種類のアプリケーションをインストール或いはアンインストールすることができる。しかし、スマートテレビにおいては、操作が複雑な項目があり、例えば、対応するアプリケーションに対するグループ管理は、従来のテレビのリモコンによって制御することはできないため、操作に不便である。
【発明の概要】
【発明が解決しようとする課題】
【０００３】
以上の問題点に鑑みて、本発明は、操作が簡単なアプリケーションアイコン管理システム及び該システムを応用する電子装置を提供することを目的とする。
【課題を解決するための手段】
【０００４】
上記の課題を解決するために、本発明のアプリケーションアイコン管理システムは、複数のアプリケーションが設置されている電子装置内で実行され、前記電子装置を第一表示区域及び第二表示区域に分割し、前記第一表示区域は、前記電子装置の各種類のアプリケーションアイコンを表示し、前記第二表示区域は、前記第一表示区域中のアプリケーションアイコンを制御する複数のボタンを表示するインタフェース管理モジュールと、及び前記第二表示区域中で選択されたボタン及び前記第一表示区域中で選択されたアプリケーションアイコンを確定し、且つ選択されたボタンに対応する機能によって、選択されたアプリケーションアイコンを管理する制御モジュールと、を備える。
【０００５】
上記の課題を解決するために、本発明の電子装置は、複数のアプリケーションを設置するためのプロセッサを備える。前記プロセッサは、前記電子装置を第一表示区域及び第二表示区域に分割し、前記第一表示区域は、前記電子装置の各種類のアプリケーションアイコンを表示し、前記第二表示区域は、前記第一表示区域中のアプリケーションアイコンを制御する複数のボタンを表示するインタフェース管理モジュールと、及び前記第二表示区域中で選択されたボタン及び前記第一表示区域中で選択されたアプリケーションアイコンを確定し、且つ選択されたボタンに対応する機能によって、選択されたアプリケーションアイコンを管理する制御モジュールと、を備える。
【発明の効果】
【０００６】
本発明のアプリケーションアイコン管理システム及び該システムを応用する電子装置は、第二表示区域中で各種類のボタンを選択して、アプリケーションアイコンを管理するので、操作に便利である。
【図面の簡単な説明】
【０００７】
【図１】本発明に係るアプリケーションアイコン管理システムの応用環境を示す図である。
【図２】本発明に係るアプリケーションアイコン管理システムの機能モジュールを示す図である。
【図３】本発明に係るアプリケーションアイコン管理システムが提供する第一インタフェース図である。
【図４】本発明に係るアプリケーションアイコン管理システムが提供する第二インタフェース図である。
【図５】本発明に係るアプリケーションアイコン管理システムが提供する第三インタフェース図である。
【発明を実施するための形態】
【０００８】
以下、図面に基づいて、本発明に係るアプリケーションアイコン管理システム及び該システムを応用する電子装置について詳細に説明する。図１〜図２に示したように、アプリケーションアイコン管理システム２００は、複数のアプリケーションが設置されている電子装置１００内で実行される。本実施形態において、電子装置１００は、スマートテレビである。電子装置１００は、１つのリモコン（図示せず）によって制御される。アプリケーションアイコン管理システム２００は、電子装置１００のプロセッサ１２で実行される複数の機能モジュールを備える。本実施形態において、アプリケーションアイコン管理システム２００は、インタフェース管理モジュール２１及び制御モジュール２２を備える。
【０００９】
図３〜図４に示したように、電子装置１００が作動された後、インタフェース管理モジュール２１は、電子装置１００を少なくとも第一表示区域２１１及び第二表示区域２１２に分割する。第一表示区域２１１は、電子装置１００の各種類のアプリケーションアイコンを表示する。第二表示区域２１２は、第一表示区域２１１中のアプリケーションアイコンを制御する複数のボタンを表示する。本実施形態において、インタフェース管理モジュール２１は、選択されたボタンに対応する機能によって、第一表示区域２１１中のアプリケーションアイコンを制御して、第一表示モード及び第二表示モードとの間で切り替える。また、インタフェース管理モジュール２１は、選択されたボタンに対応する機能によって、第二表示区域２１２中の表示ボタンを変更する。本実施形態において、第一表示モードは、各種類のアプリケーションアイコンを階層形式によって配列し、各層は、予備設定された数量のアプリケーションアイコンを表示し、最外層のアプリケーションアイコンは不透明であり、他の層のアプリケーションアイコンは透明である。第二表示モードは、各種類のアプリケーションアイコンを同じ層に分配させる。
【００１０】
図３〜図５に示したように、第二表示区域２１２は、グループを増加させる増加ボタン２１２１と、アプリケーションアイコンを削除する削除ボタン２１２２と、アプリケーションアイコンを移動する移動ボタン２１２３、２１２４及びアプリケーションアイコンを選定する選定ボタン２１２５等を備える。増加ボタン２１２１が選択された場合、インタフェース管理モジュール２１は、第一表示区域２１１中の各種類のアプリケーションアイコンの表示モードを、第一表示モードから第二表示モードに切り替え、且つ第二表示区域２１２中のボタンを変更する。即ち、図３の表示モードから図４の表示モードに切り替える。アプリケーションアイコンの表示モードが第二表示モードである場合、制御モジュール２２は、選択されたアプリケーションアイコンを確定し、且つ選択されたアプリケーションアイコンを備えるグループアイコン２１１１を申請する。即ち、グループアイコンを申請する場合、増加ボタン２１２１を選択して、アプリケーションアイコンの表示モードを、第一表示モードから第二表示モード切り替える。アプリケーションアイコンの表示モードが第二表示モードである場合、第二表示区域２１２中の選定ボタン２１２５を選択し、リモコンの方向ボタン及びＯＫボタンを操作して、必要とする１つのグループアイコンのアプリケーションアイコンを選定する。アプリケーションアイコンが選定された後、第二表示区域２１２中のＯＫボタンを選択する。即ち、グループアイコンの申請が完了したことを表す。制御モジュール２２がグループアイコンを申請した後、インタフェース管理モジュール２１は、アプリケーションアイコンの表示モードを、第一表示モードに切り替え、且つグループアイコンが第一表示区域２１１に表示される。
【００１１】
移動ボタン２１２３或いは２１２４が選択された場合、制御モジュール２２は、ユーザが行うリモコン操作に対応して、第一表示区域２１１中の選択されたアプリケーションアイコンを移動ボタン２１２３或いは２１２４の位置に移動させる。
【００１２】
削除ボタン２１２２が選択された場合、制御モジュール２２は、第一表示区域２１１中で選択されたアプリケーションアイコンを削除し、且つ削除されたアプリケーションアイコンの位置には、どのアプリケーションにも接続されない空白アイコン２１１２が形成される。
【００１３】
空白アイコン２１１２が選択された場合、インタフェース管理モジュール２１は、第一区域２１１中のアプリケーションアイコンの表示モードを、第一表示モードから第二表示モードに切り替え、且つ第二表示区域２１２中のボタンを変更する。即ち、図３の表示モードを図４の表示モードに切り替える。
【００１４】
アプリケーションアイコンの表示モードが第二表示モードである場合、制御モジュール２２は、第一表示区域２１１中で選択されたアプリケーションアイコンの数量によって、空白アイコン２１１２を選択された１つのアプリケーションアイコン或いは複数のアプリケーションアイコンを備えるグループアイコンに変更させる。即ち、ユーザが空白アイコン２１１２に１つのアプリケーションアイコンを設置し或いはグループアイコンを増加したい場合、空白アイコン２１１２を選択した後、アプリケーションアイコンの表示モードを第二表示モードに切り替え、第二表示区域２１２中のボタンとリモコンとの組み合わせによって、１つ或いは複数のアプリケーションアイコンを選択する。１つのアプリケーションアイコンが選択された場合、空白アイコン２１１２は、選択されたアプリケーションアイコンに変更し、複数のアプリケーションアイコンが選択された場合、空白アイコン２１１２は、選択された複数のアプリケーションアイコンを備えるグループアイコンに変更する。
【００１５】
本実施形態において、インタフェース管理モジュール２１及び制御モジュール２２は、プロセッサ１２に設置されたファームウェアであり、即ち、プロセッサ１２を構成する副モジュールである。
【００１６】
本実施形態において、第一表示区域２１２中の各種類のボタンとリモコンとの組み合わせによって、アプリケーションアイコンを増加、削除、又はグループアイコンを申請する。
【符号の説明】
【００１７】
１００    電子装置
１２      プロセッサ
２００    アプリケーションアイコン管理システム
２１      インタフェース管理モジュール
２１１    第一表示区域
２１２    第二表示区域
２１１１  グループアイコン
２１１２  空白アイコン
２１２１  増加ボタン
２１２２  削除ボタン
２１２３  移動ボタン
２１２４  移動ボタン
２１２５  選定ボタン
２２      制御モジュール
【図１】
2014235754.tif 000003
【図２】
2014235754.tif 000004
【図３】
2014235754.tif 000005
【図４】
2014235754.tif 000006
【図５】
2014235754.tif 000007